(57)【要約】【課題】表示部自体が立体的に見えることで斬新さに富んだ見栄えにすることを、低コストで実現する。【解決手段】遊技内容の変化に応じて表示物の内容が変動するように表示させる、略平面の表示部１０ａを備える。そして、前記表示物は、直軸測投影法その他の各種投影法に基づいて作図された複数の仮想面を有する仮想立体物Ｌ、Ｃ、Ｒとして視認されるように、表示部１０ａに表示される。そして、表示部１０ａを、該表示部１０ａの輪郭線Ｌ１（ケース１７の端部に施された印刷線１７ａおよび見返し板１２の開口部１２ａ）が仮想立体物Ｌ、Ｃ、Ｒの外形線１８ａの少なくとも一部として視認されるように形成する。これにより、単に表示物を仮想立体物Ｌ、Ｃ、Ｒとして立体的に視認させるのみならず、表示部１０ａ自体が仮想立体物Ｌ、Ｃ、Ｒと一体となって立体的に視認されることとなる。【選択図】        図２
2005131178.tif 000002
【特許請求の範囲】
【請求項１】
遊技内容の変化に応じて表示物の内容が変動するように表示させる、略平面の表示部を備え、
前記表示物は、透視投影法、直軸測投影法及び／又は斜軸測投影法に基づいて作図された、複数の仮想面を有する仮想立体物として視認されるように、前記表示部に表示され、
前記表示部は、該表示部の輪郭線が前記仮想立体物の外形線の少なくとも一部として視認されるように形成されていることを特徴とする遊技機用表示装置。
【請求項２】
前記表示部のうち前記仮想面に対応する部分には、前記表示物の内容を表示する複数のセグメントが形成され、
前記表示部には、前記複数のセグメントに対応して複数の光源が配置され、
前記複数の光源を点灯制御することにより、前記表示物の内容が前記仮想面上にて変動しているように表示することを特徴とする請求項１に記載の遊技機用表示装置。
【請求項３】
前記表示物の内容を前記複数の仮想面にまたがって表示することを特徴とする請求項１または２に記載の遊技機用表示装置。
【請求項４】
前記複数の仮想面毎に前記表示物の内容をそれぞれ表示することを特徴とする請求項１または２に記載の遊技機用表示装置。
【請求項５】
同一形状の前記仮想立体物が３つ組み合わさって前記表示物が構成されているように表示し、
前記３つの仮想立体物の各々に、前記表示物の内容として特別図柄を変動表示することを特徴とする請求項１ないし４のいずれか１つに記載の遊技機用表示装置。
【請求項６】
前記仮想立体物上に陰影を表示することを特徴とする請求項１ないし５のいずれか１つに記載の遊技機用表示装置。
【発明の詳細な説明】
【技術分野】
【０００１】
本発明は、遊技機用表示装置に関するもので、特に、普通図柄や特別図柄を変動表示させる表示装置に用いて好適なものである。
【背景技術】
【０００２】
従来、遊技内容の変化に応じて表示物が変動するように表示部に表示させる遊技機用表示装置として、遊技内容の変化に応じて表示物が変動するように表示部に表示させる表示装置が特許文献１等に記載されている。該特許文献１に記載の表示装置では、図１７に示すように、表示部に液晶パネル１１０を採用し、特別図柄１１１を前記表示物として液晶パネル１１０に表示させている。そして、特別図柄１１１を立体的に見せるように表示して、斬新な見栄えにすることを図っている。
【０００３】
また、特許文献２に記載の表示装置では、図１８に示すように、機械的に動くキャラクター構造物２１０を表示部としており、前記キャラクター構造物２１０を立体的に形成することで、斬新な見栄えにすることを図っている。
【０００４】
【特許文献１】特開２００２−６５９９９号公報
【特許文献２】特開平１１−１９３２６号公報
【発明の開示】
【発明が解決しようとする課題】
【０００５】
しかしながら、特許文献１に記載の表示装置では、表示部の輪郭線Ｌ２は単純な四角形であり立体的には見えない。従って、確かに特別図柄１１１は立体的に見えるものの、表示部自体は平面的にしか見えないため、見栄えの斬新さに欠ける。
【０００６】
一方、特許文献２に記載の表示装置では、表示部としてのキャラクター構造物２１０自体が立体的に見えることで斬新さに富んだ見栄えにできるものの、キャラクター構造物２１０を機械的に動かすための機構２１１が必要となり、コストアップを招いてしまう。
【０００７】
本発明は、上記点に鑑み、表示部自体が立体的に見えることで斬新さに富んだ見栄えにすることを、低コストで実現することを目的とする。
【課題を解決するための手段】
【０００８】
上記目的を達成するため、請求項１に記載の発明では、遊技内容の変化に応じて表示物の内容が変動するように表示させる、略平面の表示部を備え、前記表示物は、透視投影法、直軸測投影法及び／又は斜軸測投影法に基づいて作図された、複数の仮想面を有する仮想立体物として視認されるように、前記表示部に表示され、前記表示部は、該表示部の輪郭線が前記仮想立体物の外形線の少なくとも一部として視認されるように形成されていることを特徴とする。
【０００９】
なお、遊技内容の変化に応じて変動する「表示物の内容」の具体例として、「７７７」等の特別図柄、「７」等の普通図柄が挙げられる。また、表示物としての仮想立体物がサイコロに見えるように表示させ、「表示物の内容」をサイコロの目とし、該サイコロの目が遊技内容の変化に応じて変動するように表示させる具体例も挙げられる。
【００１０】
また、表示物としての仮想立体物がキャラクターに見えるように表示させ、「表示物の内容」をキャラクター自体とし、該キャラクターが遊技内容の変化に応じて変動するように表示させる具体例も挙げられる。また、前記キャラクターに換えて背景に見えるように表示させてもよい。
【００１１】
請求項２に記載の発明では、前記表示部のうち前記仮想面に対応する部分には、前記表示物の内容を表示する複数のセグメントが形成され、前記表示部には、前記複数のセグメントに対応して複数の光源が配置され、前記複数の光源を点灯制御することにより、前記表示物の内容が前記仮想面上にて変動しているように表示することを特徴とする。
【００１２】
請求項３に記載の発明では、前記表示物の内容を前記複数の仮想面にまたがって表示することを特徴とする。
請求項４に記載の発明では、前記複数の仮想面毎に前記表示物の内容をそれぞれ表示することを特徴とする。
【００１３】
請求項５に記載の発明では、同一形状の前記仮想立体物が３つ組み合わさって前記表示物が構成されているように表示し、前記３つの仮想立体物の各々に、前記表示物の内容として特別図柄を変動表示することを特徴とする。
請求項６に記載の発明では、前記仮想立体物上に陰影を表示することを特徴とする。
【発明の効果】
【００１４】
請求項１に記載の発明によれば、単に表示物を仮想立体物として立体的に視認させるのみならず、表示部自体が表示物と一体となって立体的に視認されることとなるので、斬新さに富んだ見栄えの遊技機用表示装置を提供することができる。そして、特許文献２にて必要となっていた機械的に動かす機構を不要にできるので、上述のような見栄えにすることを低コストで実現できる。なお、複数枚の表示部を立体的に組み立てて実際に立体物を表示させる場合には、複数枚からなる表示部自体が立体的に見えるようにできるものの膨大なコストアップを招いてしまうのに対し、本発明によれば低コストにできる。
【００１５】
請求項２に記載の発明によれば、仮想立体物として視認される表示物が遊技内容の変化に応じて変動するように表示させることを、高価な液晶表示パネルを用いることなく容易に実現できる。
【００１６】
請求項３に記載の発明によれば、表示物の内容をより一層立体的に視認させることができ、好適である。なお、請求項１または２に記載の発明を実施するにあたり、請求項４に記載のように、複数の仮想面毎に表示物の内容をそれぞれ表示するようにしてもよい。
【００１７】
また、表示物の内容に特別図柄を採用する場合には、請求項５に記載のように、同一形状の仮想立体物が３つ組み合わさって表示物が構成されているように表示し、３つの仮想立体物の各々に特別図柄を変動表示するようにして、好適である。
【００１８】
請求項６に記載の発明によれば、仮想立体物として視認される表示物がより一層立体的に見えるので、斬新さに富んだ見栄えにすることができる。
【発明を実施するための最良の形態】
【００１９】
以下に、本発明の好適な実施形態について図面を参照して説明する。尚、本発明の実施の形態は、下記の各実施形態に何ら限定されるものではなく、本発明の技術的範囲に属する限り種々の形態を採り得ることは無論である。
【００２０】
（第１実施形態）
弾球遊技機１は、図１に示す通り、前面枠２、機枠３、操作ハンドル４、上皿５、下皿６、遊技盤７、板ガラス８、電飾装置９、表示装置１０等からなり、本実施形態に係る表示装置１０は遊技盤７の中央に配置され、３つの特別図柄（表示物の内容）を変動表示させる特別図柄表示装置に適用されている。
【００２１】
図２は、表示装置１０等の単体を示す正面図であり、遊技盤７の表面側には、表示装置１０周りを装飾する装飾構造物１１がビス１１Ｂにて取り付けられている。構造物１１は、遊技盤７の表面から遊技者の側に突出するように合成樹脂にて立体的に形成されている。なお、装飾構造物１１には発光ダイオード等の光源が内蔵されており、遊技内容に応じて複数の光源の駆動が制御されるようになっている。
【００２２】
装飾構造物１１の裏面には見返し板１２が組み付けられ、該見返し板１２は装飾構造物１１の開口部１１ａに配置されている。見返し板１２は、光の透過を遮断する不透光性の合成樹脂にて形成されている。
【００２３】
見返し板１２の裏側には表示装置１０が配置されており、表示装置１０は、遊技者に対して見返し板１２の開口部１２ａから臨まれるように配置されている。表示装置１０のうち開口部１２ａに対応する領域の部分が遊技者に視認され得る部分となり、この部分が特許請求の範囲に記載の表示部１０ａに相当する。従って、表示部１０ａの輪郭線Ｌ１は、見返し板１２の開口部１２ａ形状により決定されることとなる。また、見返し板１２の開口部１２ｂには補助表示装置１３が組み付けられている。補助表示装置１３は３つの７セグメントから構成されている。
【００２４】
図３は図２のＡ−Ａ断面図、図４は図２のＢ−Ｂ断面図、図５は表示装置１０の正面図であり、これらの図３〜図５に示すように、表示装置１０は、プリント基板１４、光源としての複数の発光ダイオード１５Ｒ、１５Ｇ、リフレクタ１６、ケース１７およびケース１７に保持される拡散板１８から構成されている。なお、図５は拡散板１８を取り除いた状態の正面図である。
【００２５】
発光ダイオード１５Ｒ、１５Ｇには異なる色に発光する複数種の発光ダイオードが用いられており、符号１５Ｒに示す発光ダイオードは赤色に、符号１５Ｇに示す発光ダイオードは緑色に発光するものである。また、発光ダイオード１５Ｒ、１５Ｇには発光輝度が段階的に調節可能なものを採用することが好ましく、本実施形態では１０段階に調節できるものを採用している。
【００２６】
リフレクタ１６は、各発光ダイオード１５Ｒ、１５Ｇを仕切るように配置され、表示部１０ａを複数のセグメント１０ｂに分割するものである。そして、セグメント１０ｂ内の発光ダイオード１５Ｒ、１５Ｇからの光が他のセグメント１０ｂ内に漏れ出ることのないように、リフレクタ１６は遮光性を有し、かつ、前記光を反射する反射板として機能する。
【００２７】
拡散板１８は発光ダイオード１５Ｒ、１５Ｇからの光を拡散させることで、各々のセグメント１０ｂが面発光しているように遊技者に視認させるものである。また、拡散板１８には、遮光性を有するインクやトナー等により印刷が施されており、図６（ａ）は印刷前の拡散板１８単体を示す正面図、図６（ｂ）は、図６（ａ）の拡散板１８に印刷を施した状態を示す正面図である。図６（ｂ）中の符号１８ａに示す斜線および符号１８ｂに示す実線は前記印刷によるものであり、斜線１８ａは後述する仮想立体物Ｌ、Ｃ、Ｒの外形線を示し、実線１８ｂは複数のセグメント１０ｂの輪郭を示すものである。図６（ｂ）中の網点を付した部分は複数のセグメント１０ｂを示す。
【００２８】
また、ケース１７の端部にも斜線１８ａと同様の印刷が施されており、図５中の符号１７ａに示す斜線は該印刷によるもので、仮想立体物Ｌ、Ｃ、Ｒの外形線１８ａの一部分と重複する。そして、斜線１７ａは、表示部１０ａの輪郭線Ｌ１に沿って延びる線となり、表示部１０ａの輪郭線Ｌ１全体と重複する。
【００２９】
次に、表示装置１０による表示態様を説明する。
表示装置１０は、複数の発光ダイオード１５Ｒ、１５Ｇの駆動を制御して、各セグメント１０ｂの発光色を変化させることで、表示部１０ａにて表示物Ｌ、Ｃ、Ｒを変動表示する。そして、遊技内容の変化に応じて発光ダイオード１５Ｒ、１５Ｇの駆動を制御することで、表示物Ｌ、Ｃ、Ｒが遊技内容の変化に応じて変動する。表示物は３つの仮想立体物Ｌ、Ｃ、Ｒを組み合わせて構成されており、各仮想立体物Ｌ、Ｃ、Ｒは、透視投影法、直軸測投影法及び／又は斜軸測投影法に基づいて作図されており、複数の仮想面を有している。
【００３０】
図２に示す例では、各仮想立体物Ｌ、Ｃ、Ｒは直軸測投影法に基づいて作図された６面体であり、仮想立体物Ｌは６面のうち正面および上面が、仮想立体物Ｃは６面のうち正面、右側面および上面が、仮想立体物Ｒは６面のうち右側面および上面が表示されている。各仮想面には９つのセグメント１０ｂが割り振られている。なお、６面体の角部は面取りされており、丸みを帯びた６面体に表現されている。面取り部には独立したセグメント１０ｂが割り振られている。
【００３１】
因みに、上記「直軸測投影法」とは、１枚の投影面とこれに直交する平行光線を使用し、１つの投影図のみで立体を表現する投影図法であり、「サイエンスライブラリ工学基礎１  工学基礎  図学と製図」（出版社：サイエンス社）（著者：磯田浩、鈴木賢次郎、相沢龍彦）等の文献にて記載された図法である。
【００３２】
そして、表示部１０ａは、該表示部１０ａの輪郭線Ｌ１（ケース１７の端部に施された印刷線１７ａおよび見返し板１２の開口部１２ａ）が仮想立体物Ｌ、Ｃ、Ｒの外形線１８ａの少なくとも一部として視認されるように形成されている。すなわち、拡散板１８に印刷された外形線１８ａ（図６中の斜線参照）の一部と、見返し板１２の開口部１２ａの形状からなる表示部１０ａの輪郭線Ｌ１が重複するように構成されている。本実施形態では、輪郭線Ｌ１の全長にわたって外形線１８ａの一部と重複している。
【００３３】
また、複数のセグメント１０ｂの発光パターンにより、各仮想立体物Ｌ、Ｃ、Ｒの仮想面上にて特別図柄が視認されるように複数の発光ダイオード１５Ｒ、１５Ｇの駆動を制御している。なお、仮想立体物Ｌに表示される特別図柄を左図柄、仮想立体物Ｃに表示される特別図柄を中図柄、仮想立体物Ｒに表示される特別図柄を右図柄とする。
【００３４】
ここで、特別図柄について簡単に説明すると、遊技者により操作ハンドル４が操作されて遊技球が遊技盤７上に発射され、発射された遊技球が第１種始動口としての普通電動役物に入賞すれば、表示装置１０にて特別図柄を所定時間変動表示した後に静止表示するよう働く。この静止表示した特別図柄が予め定められた特定図柄、例えば「７７７」等の３桁同一図柄を表示すると大当り状態として遊技者に有利なゲーム内容を提供する。
【００３５】
予め定められた特定図柄には、通常図柄と確率変動図柄（以下、確変図柄と呼ぶ）とがあり、確変図柄（例えば奇数）にて大当り状態になった場合には、通常図柄（例えば偶数）にて大当り状態になった場合に比べて、次回の抽選による当選確率が高くなるように設定されている。なお、大当り状態となるか否かは、遊技球が第１種始動口への入賞が検出されたとき抽出される当否決定乱数の値が所定値であるか否かにより決定される。
【００３６】
通常図柄が揃ったときの表示装置１０による表示態様は図７（ａ）〜（ｅ）を示す通りであり、（ａ）は「２２２」、（ｂ）は「４４４」、（ｃ）は「６６６」、（ｄ）は「８８８」、（ｅ）は「０００」を表示している。本実施形態では、複数のセグメント１０ｂのうち通常図柄としての数字部分に対応するセグメント１０ｂを、発光ダイオード１５Ｇの点灯によって緑色に面発光させている。
【００３７】
確変図柄が揃ったときの表示装置１０による表示態様は図８（ａ）〜（ｅ）に示す通りであり、（ａ）は「１１１」、（ｂ）は「３３３」、（ｃ）は「５５５」、（ｄ）は「７７７」、（ｅ）は「９９９」を表示している。本実施形態では、複数のセグメント１０ｂのうち確変図柄としての数字部分に対応するセグメント１０ｂを、発光ダイオード１５Ｒの点灯によって赤色に面発光させている。
【００３８】
そして、大当り状態となると、図示しない大入賞口が約３０秒間経過する時まで又は遊技球が１０個入賞するまで開放され、このとき大入賞口内に入賞した遊技球が特別領域を通過すると一旦大入賞口が閉鎖された後に再び開放され、この開放動作を最大１６回繰り返す。通常、大入賞口への遊技球１個の入賞に対して１５個の遊技球が賞球として払い出すよう構成しているので、１回の大当り状態が発生すると、約２４００（＝１５×１０×１６）個の遊技球を賞球として獲得することができる。
【００３９】
図７および図８に示すように、特別図柄は２つの仮想面にまたがって表示されている。具体的には、仮想立体物Ｌ、Ｃでは正面および上面にまたがって特別図柄が表示され、仮想立体物Ｒでは右側面および上面にまたがって特別図柄が表示されている。
【００４０】
また、数字部分に対応していないセグメント１０ｂのうち、手前側に位置する仮想面（仮想立体物Ｌ、Ｃの正面および仮想立体物Ｒの右側面）のセグメントを、奥側に位置する仮想面（仮想立体物Ｌ、Ｃ、Ｒの上面）のセグメントと異なる明るさで表示している。図７、９に示す例では手前側のセグメントを奥側のセグメントよりも暗くなるように表示している。これにより、仮想立体物Ｌ、Ｃ、Ｒ上には陰影が表現され、仮想立体物として視認される表示物がより一層立体的に見えることとなる。
【００４１】
また、複数の発光ダイオード１５Ｒ、１５Ｇの点灯パターンを制御することにより仮想立体物Ｌ、Ｃ、Ｒが回転して転がっているように表示させることで、特別図柄の変動表示を実現している。図７および図８に示す例では、仮想立体物Ｌ、Ｃは、右側面に対して垂直に延びる軸を回転軸として回転しているように表示され、仮想立体物Ｒは、正面に対して垂直に延びる軸を回転軸として回転しているように表示されている。なお、仮想立体物Ｌ、Ｃ、Ｒは直軸測投影法で作図されているため、前記回転軸の垂直方向に対して所定角度傾いた方向から視認されることとなり、仮想立体物Ｌ、Ｃ、Ｒが回転して転がる表現を遊技者に容易に感じさせることができる。
【００４２】
また、仮想立体物Ｒに表示される右図柄は、仮想立体物Ｌ、Ｃに表示される左図柄、中図柄とは異なる向きの仮想面に表示されているため、３図柄を同時に変動開始させ、左図柄、中図柄、右図柄と順に変動を停止させた場合には、３図柄が実際には揃っていても、右図柄だけは揃っていないように見迷う恐れがある。そこで、本実施形態では、はじめに左図柄、中図柄のみを変動開始させ、左図柄、中図柄が停止した後に右図柄を変動開始させる。これにより、前記見迷う恐れを低減できる。
【００４３】
以上により、本実施形態の表示装置１０によれば、表示部１０ａの輪郭線Ｌ１（ケース１７の端部に施された印刷線１７ａおよび見返し板１２の開口部１２ａ）が仮想立体物Ｌ、Ｃ、Ｒの外形線（図６中の斜線１８ａに示す印刷線）の一部として視認されるように形成されているので、単に表示物を仮想立体物Ｌ、Ｃ、Ｒとして立体的に視認させるのみならず、表示部１０ａ自体が仮想立体物Ｌ、Ｃ、Ｒと一体となって立体的に視認されることとなる。よって、斬新さに富んだ見栄えの遊技機用の表示装置１０を提供することができる。
【００４４】
（第２実施形態）
上記第１実施形態では仮想面に表示させる図柄として数字を表示させていたが、本実施形態では図９に示すように、各仮想立体物Ｌ、Ｃ、Ｒがサイコロに見えるように表示させており、サイコロの目を仮想面に表示させている。このように、誰でも一度は触れたことのあるサイコロをモチーフとして図柄を表示させることで、遊技者にとって親しみやすく、また、図柄（数字）の認識性が良好な表示装置１０にできる。
【００４５】
本実施形態に係る表示装置１０は、第１実施形態と同様の機能を有する見返し板１２、プリント基板１４、複数の発光ダイオード１５Ｒ、１５Ｇ、リフレクタ１６に加え、青色に発光する発光ダイオード１５Ｂ、各発光ダイオード１５Ｒ、１５Ｇ、１５Ｂを覆う拡散シート、および拡散シートを覆うスモーク板１９から構成されている。
【００４６】
図９は本実施形態に係る表示装置１０単体を示す正面図、図１０は、図９に示す表示装置１０からスモーク板１９および図示しない拡散シートを取り除いた状態の正面図、図１１はスモーク板１９単体を示す正面図、図１２は見返し板１２単体を示す正面図である。そして、下から順に、各発光ダイオード１５Ｒ、１５Ｇ、１５Ｂが実装されたプリント基板１４、リフレクタ１６、拡散シート、スモーク板１９、見返し板１２が積層配置されている。
【００４７】
なお、図９中の斜線部分は複数のセグメント１０ｂを示しており、図１０中の一点鎖線はリフレクタ１６の内面を示す仮想線である。また、図１１中の太線１９ａは、第１実施形態にて拡散板１８に印刷されてなる斜線１８ａ、太線１８ｂに相当するものであり、本実施形態では、拡散板１８への外形線１８ａ、１８ｂの印刷を廃止してスモーク板１９に外形線１９ａを印刷している。
【００４８】
また、第１実施形態では２つの仮想面にまたがって図柄を表示させているのに対し、本実施形態では複数の仮想面毎に図柄をそれぞれ表示させている。そして、例えば、上面の図柄を順次左側面にスクロール表示させることで、右側面に対して垂直に延びる軸を回転軸として仮想立体物Ｌ、Ｃ、Ｒが回転するように視認されることとなる。また、本実施形態では、仮想立体物Ｌ、Ｃ、Ｒが回転している最中に図柄のスクロール方向を変化させることで、回転軸の向きが変化しながら回転しているように視認させることができ、仮想立体物Ｌ、Ｃ、Ｒがより一層リアルに転がっているように視認させることができる。
【００４９】
以上の構成による本実施形態によっても、上記第１実施形態と同様の効果を得ることができる。また、本実施形態では、赤緑青の発光ダイオード１５Ｒ、１５Ｇ、１５Ｂを採用しているので、各発光ダイオード１５Ｒ、１５Ｇ、１５Ｂの発光輝度を調節することによりカラー表示を可能にできる。
【００５０】
（第３実施形態）
上記第１実施形態では仮想立体物Ｃが仮想立体物Ｌ、Ｒよりも手前に位置して見えるように表示しているのに対し、本実施形態では、図１３に示すように、図柄仮想立体物Ｃが仮想立体物Ｌ、Ｒよりも奥側に位置して見えるように表示している。図１３に示す例では、黒塗り部分に示す数字の「８」を左図柄および右図柄として表示している。本実施形態に係る表示装置１０の構成は第１実施形態または第２実施形態の表示装置と同様であり、それぞれの実施形態と同様の効果を得ることができる。
【００５１】
（第４実施形態）
上記第１〜第３実施形態の各仮想立体物Ｌ、Ｃ、Ｒは直軸測投影法に基づいて作図されているのに対し、本実施形態の各仮想立体物Ｌ、Ｃ、Ｒは、図１４に示すように透視投影法に基づいて作図されている。なお、「透視投影法」とは、適当な有限位置に光源のある放射光線で、任意の位置及び方向を持つ１枚の投影面に、対象の立体を投影した図で表現する投影図法であり、前述の「サイエンスライブラリ工学基礎１  工学基礎  図学と製図」等の文献にて記載された図法である。
【００５２】
図１４に示す例では、斜線部分に示す数字の「７」「６」「５」を左図柄、中図柄および右図柄として表示している。本実施形態に係る表示装置１０の構成は第１実施形態または第２実施形態の表示装置と同様であり、それぞれの実施形態と同様の効果を得ることができる。
【００５３】
（第５実施形態）
本実施形態の各仮想立体物Ｌ、Ｃ、Ｒは、図１５に示すように斜軸測投影法に基づいて作図されている。なお、「斜軸測投影法」とは、１枚の投影面とこれに斜交する平行光線を使用し、１つの投影図のみで立体を表現する投影図法であり、前記文献等にて記載された図法である。
【００５４】
また、本実施形態では、手前側の仮想面（正面）に位置する複数（９つ）のセグメント１０ｂのうち、上側に位置するセグメント１０ｂであるほど小さく表示している。また、手前側の仮想面（正面）のセグメント１０ｂの大きさが、奥側の仮想面（上面）のセグメント１０ｂの大きさよりも大きくなるように表示している。
【００５５】
因みに、図２に示す第１実施形態、図１３に示す第３実施形態、図１４に示す第４実施形態においても、手前側の仮想面（正面）のセグメント１０ｂの大きさが、奥側の仮想面（上面）のセグメント１０ｂの大きさよりも大きくなるように表示している。
【００５６】
なお、図１５に示す例では、斜線部分に示す数字の「７」「６」「５」を左図柄、中図柄および右図柄として表示している。本実施形態に係る表示装置１０の構成は第１実施形態または第２実施形態の表示装置と同様であり、それぞれの実施形態と同様の効果を得ることができる。また、図１６に示す表示装置１０は本実施形態の変形例であり、図柄として数字ではなくサイコロの目を表示している。
【００５７】
（他の実施形態）
上記各実施形態では、各仮想立体物Ｌ、Ｃ、Ｒを６面体に作図しているが、本発明はこのような６面体に限られるものではない。また、上記各実施形態では、同一形状の仮想立体物Ｌ、Ｃ、Ｒを複数組み合わせて表示物を構成しているが、本発明の表示物は１つの仮想立体物Ｌから構成されるものでもよい。なお、この場合には、仮想立体物Ｌ、Ｃ、Ｒの仮想面上にて普通図柄を表示させて好適である。
【００５８】
また、上記各実施形態では、仮想立体物Ｌ、Ｃ、Ｒの仮想面上にて図柄を表示させているが、本発明の表示物の内容は図柄を表示するものに限られるものではなく、例えば、仮想立体物がキャラクターに見えるように表示させ、該キャラクターが遊技内容の変化に応じて変動するように表示させるようにしてもよい。
【００５９】
この場合、遊技内容の変化に応じてキャラクターの表情を変化させることが好ましく、例えば、遊技内容が遊技者に有利になった時にはキャラクターの表情が喜びを表現する表情に変化し、遊技内容が遊技者に有利になった時にはキャラクターの表情が悲しみを表現する表情に変化するようにして好適である。また、前記キャラクターに換えて背景を仮想立体物として表示させるようにしてもよい。
【００６０】
また、上記各実施形態では、遊技盤７に配置された表示装置に本発明の表示装置１０を適用させているが、本発明の表示装置１０は遊技盤７への配置に限られるものではなく、例えば、前面枠２、機枠３等に配置されたものであっても適用できる。
【００６１】
また、上記各実施形態の表示装置１０では発光ダイオード（ＬＥＤ）を採用しているが、本発明の実施にあたり、液晶表示装置（ＬＣＤ）、エレクトロルミネッセンス表示装置（ＥＬ）、バルブ等を採用してもよい。
【００６２】
また、本発明の実施にあたり、上記第１および第２実施形態の見返し板１２を廃止して、装飾構造物１１の開口部１１ａを表示部１０ａの輪郭線Ｌ１に沿った形状に形成するようにしてもよい。また、見返し板１２を採用して装飾構造物１１を廃止するようにしてもよい。
【００６３】
また、本発明の表示装置１０は、弾球遊技機への適用に限らず、スロットル機その他の遊技機にも適用できるものである。
【図面の簡単な説明】
【００６４】
【図１】本発明の第１実施形態に係る弾球遊技機を示す正面図である。
【図２】図１に示す表示装置１０および装飾構造物１１等を示す正面図である。
【図３】図２のＡ−Ａ断面図である。
【図４】図２のＢ−Ｂ断面図である。
【図５】図２の表示装置１０単体であって、拡散板１８を取り除いた状態を示す正面図である。
【図６】図３および図４の拡散板１８単体であって、（ａ）は拡散板１８に印刷を施す前の状態を示す正面図、（ｂ）は印刷を施した状態であり、仮想立体物の外形線１８ａを斜線にて示す正面図である。
【図７】第１実施形態に係る表示装置１０による、通常図柄が揃ったときの表示態様を示す正面図である。
【図８】第１実施形態に係る表示装置１０による、確変図柄が揃ったときの表示態様を示す正面図である。
【図９】本発明の第２実施形態に係る表示装置１０の正面図である。
【図１０】図９の表示装置１０からスモーク板１９および拡散板１８を取り除いた状態を示す正面図である。
【図１１】第２実施形態に係るスモーク板１９単体を示す正面図である。
【図１２】第２実施形態に係る見返し板１２単体を示す正面図である。
【図１３】本発明の第３実施形態に係る表示装置１０の表示態様を示す、正面図である。
【図１４】本発明の第４実施形態に係る表示装置１０の表示態様を示す、正面図である。
【図１５】本発明の第５実施形態に係る表示装置１０の表示態様を示す、正面図である。
【図１６】本発明の第５実施形態の変形例を示す表示装置１０の表示態様を示す、正面図である。
【図１７】特許文献１に記載の表示装置を示す正面図である。
【図１８】特許文献２に記載の表示装置を示す正面図である。
【符号の説明】
【００６５】
１０…表示装置    １０ａ…表示部
１２ａ…見返し板の開口部（表示部の輪郭線Ｌ１）
１７ａ…ケースの端部に施された印刷線（表示部の輪郭線Ｌ１）
１８ａ…仮想立体物の外形線（図６の斜線部分）
Ｌ、Ｃ、Ｒ…表示物としての仮想立体物
【図１】
2005131178.tif 000003
【図３】
2005131178.tif 000004
【図４】
2005131178.tif 000005
【図５】
2005131178.tif 000006
【図６】
2005131178.tif 000007
【図９】
2005131178.tif 000008
【図１０】
2005131178.tif 000009
【図１１】
2005131178.tif 000010
【図１２】
2005131178.tif 000011
【図１４】
2005131178.tif 000012
【図１５】
2005131178.tif 000013
【図１７】
2005131178.tif 000014
【図１８】
2005131178.tif 000015
【図２】
2005131178.tif 000016
【図７】
2005131178.tif 000017
【図８】
2005131178.tif 000018
【図１３】
2005131178.tif 000019
【図１６】
2005131178.tif 000020